(57)【要約】
【課題】  弾性に優れ、構造が安定化する防護クッションを有するスピニングリールを提供する。
【解決手段】  防護クッションを有するスピニングリール１０は、リールボディ２０、回転可能に該リールボディ２０に設けられたハンドル３０、リールボディ２０に設けられ回転するロータ３２、リールボディ２０に設けられ往復運動するスプール３４、ならびに防護クッション４０を備える。リールボディ２０は支え棒２２と支え棒２２末端に設けられた連接板２６を有し、支え棒２２には前側面２３と後側面２４があり、支え棒２２末端には収容スロットが設けられ、支え棒２２の前側面２３、後側面２４にそれぞれ収容スロット２５に連通する開口が設けられる。防護クッション４０は収容スロット中に設置される。こうしてスピニングリール１０の構造は安定し、且つその防護クッション４０は極めて優れた弾性を供することができる。
【選択図】    図１
0003101019.tif 000002
【実用新案登録請求の範囲】
【請求項１】
防護クッションを有するスピニングリールであって、
支え棒及び前記支え棒の末端に設けられた連接板を有し、前記支え棒に前側面及び後側面があり、前記支え棒の末端に収容スロットが設けられ、前記支え棒の前側面及び後側面にそれぞれ前記収容スロットに連通する開口が設けられるリールボディと、
前記リールボディに回転可能に設けられるハンドルと、
前記リールボディに設けられ回転するロータと、
前記リールボディに設けられ往復運動するスプールと、
前記収容スロット中に設けられる防護クッションと、
を備えることを特徴とする防護クッションを有するスピニングリール。
【請求項２】
前記連接板は頂面及び底面を有し、前記支え棒は前記連接板の底面に連接し、前記連接板の頂面には前記収容スロットに連通する開口が設けられていることを特徴とする請求項１記載の防護クッションを有するスピニングリール。
【請求項３】
前記防護クッションには穿孔が設置され、前記支え棒にはボルト孔が設置され、ボルトを前記穿孔に通してから前記ボルト孔中にねじり止めることにより、前記防護クッションと前記リールボディとを一体に結合していることを特徴とする請求項２記載の防護クッションを有するスピニングリール。
【請求項４】
前記防護クッションの外縁に突出リブを設け、前記収容スロットの内縁に前記突出リブを嵌めるための位置決め溝を設けることを特徴とする請求項１または２記載の防護クッションを有するスピニングリール。
【請求項５】
前記防護クッションは弾性材料からなることを特徴とする請求項１または２記載の防護クッションを有するスピニングリール。
【請求項６】
前記連接板の両側にそれぞれ羽部がさらに設けられることを特徴とする請求項１記載の防護クッションを有するスピニングリール。
【請求項７】
前記防護クッションは前記収容スロット中に接着されることを特徴とする請求項１または２記載の防護クッションを有するスピニングリール。
【考案の詳細な説明】
【技術分野】
【０００１】
本考案は、魚釣り用具に関するものであって、特に防護クッションを有し、握りやすく構造が安定しているスピニングリールに関する。
【背景技術】
【０００２】
従来のスピニングリールはそのリールボディの支え棒の最上部に防護クッションを設け、使用者がスピニングリールを握った際に快適なようにしている。一般に防護クッションはシート状を呈し、該支え棒の表面に粘着させるため、長時間使用するとしばしば脱落現象を生じる。特に海釣りの場合、海水の浸潤によって該防護クッションはより脱落しやすくなる。また、スピニングリールの正常な操作に影響しないよう、防護クッションの厚みはあまり厚くすることができず、従って防護クッションが提供できる弾力または緩衝空間はかなり限られていた。
【考案の開示】
【考案が解決しようとする課題】
【０００３】
上記の欠点に鑑み、本考案の主な目的は、弾性に優れ、構造が安定化する防護クッションを有するスピニングリールを提供することにある。
【課題を解決するための手段】
【０００４】
上記目的を達成するため、本考案の防護クッションを有するスピニングリールは、リールボディ、回転可能に該リールボディに設けられたハンドル、該リールボディに設けられ回転するロータ、該リールボディに設けられ往復運動するスプール、ならびに防護クッションを備える。前記リールボディは支え棒と支え棒末端に設けられた連接板を有し、該支え棒には前側面と後側面があり、該支え棒末端には収容スロットが設けられ、該支え棒の前側面及び後側面にそれぞれ該収容スロットに連通する開口が設けられる。前記防護クッションは該収容スロット中に設置される。こうして前記スピニングリールの構造は安定し、且つその防護クッションは極めて優れた弾性を供することができる。
【考案を実施するための最良の形態】
【０００５】
本考案の特長の所在を明らかにするために、以下好ましい実施例を２つ挙げ、図面を参照して説明する。
図１から図４を参照されたい。本考案の第１の好ましい実施例によるスピニングリール１０には、リールボディ２０、該リールボディ２０に回転可能に設けられるハンドル３０、該リールボディ２０に設けられ該ハンドル３０の駆動を受けて回転するロータ３２、該リールボディ２０に設けられ該ハンドル３０の駆動を受けて往復運動するスプール３４、ならびに防護クッション４０が備わっている。
【０００６】
前記リールボディ２０は直立の支え棒２２と、前記スプール３４の軸心の延伸方向に平行であって、前記支え棒２２の最上部に設けられる連接板２６とを有する。前記支え棒２２の最上部は扁平状を呈し、前側面２３と後側面２４があり、前記連接板２６は頂面２７と底面２８を有し、前記支え棒２２は前記連接板２６の底面２８に連接される。また、前記支え棒２２の最上部には収容スロット２５が設けられ、前記支え棒２２の前側面２３、後側面２４にそれぞれ該収容スロット２５に連通する開口２３１、２４１が設置される。前記連接板２６の頂面２７にも該収容スロット２５に連通する開口２７１が設置され、該収容スロット２５の内縁にＵ字形を呈する位置決め溝２９が設けられている。
【０００７】
前記防護クッション４０はゴムのような弾性材料で製造され、その中央には穿孔４２が設けられる。前記支え棒２２にボルト孔２２１を設けて、ボルト４３を該穿孔４２に通してから該ボルト孔２２1中にねじり止めることにより、前記防護クッション４０を前記リールボディ２０の収容スロット２５中に固定する。また、前記防護クッション４０の外縁に突出リブ４４を設け、その形状は前記位置決め溝２９と補完し合って、該突出リブ４４をちょうど該位置決め溝２９中に嵌めることができるようにする。こうして前記防護クッション４０の前記収容スロット２５中での位置決めを助け、同時に前記防護クッション４０と前記リールボディ２０の結合構造をより安定させると、長時間使用しても脱落状態が生じず、従来の構造の欠点を効果的に改善できる。
【０００８】
前記防護クッション４０を前記リールボディ２０に取り付ける際には、前記防護クッション４０を前記連接板２６の開口２７１から前記収容スロット２５に嵌め入れる。嵌め入れる際に前記防護クッション４０の突出リブ４４と前記リールボディ２０の位置決め溝２９とを正確に合わせ、嵌め入れた後、前記ボルト４３で前記防護クッション４０を固定して位置決めする。このとき、前記防護クッション４０は前記支え棒２２の前側面２３、後側面２４の開口２３１、２４１より露出する（図４参照）。前記防護クッション４０全体はブロック状を呈するため、比較的厚い厚みを有し、故にその弾性はより優れ、緩衝距離がより大きく、使用者が握った際の手触りに優れ、本考案の目的が達成される。
【０００９】
前記支え棒２２と前記連接板２６との間に前記収容スロット２５があるため、製造の際、前記支え棒２２と前記連接板２６との間の構造強度を強化する目的で、前記連接板２６の両側にそれぞれ羽部２６１を更に設けることもできる。また防護クッションと本体との結合方式も多様な変化を有する（図５参照）。本考案の第２の好ましい実施例によるスピニングリール５０では、その防護クッション５２を接着剤で収容スロット５４中に接着しており、その構造は安定し且つ加工手順がより簡単である。このように本分野に習熟した技術者が容易に思いつく構造の変化は、いずれも本考案の権利請求の範囲に含まれる。
【図面の簡単な説明】
【００１０】
【図１】本考案の第１の実施例によるスピニングリールを示す正面図である。
【図２】本考案の第１の実施例によるスピニングリールの局部を示す立体分解図である。
【図３】図１の３−３線方向に沿った断面図である。
【図４】本考案の第１の実施例によるスピニングリールを示す側面図である。
【図５】本考案の第２の実施例によるスピニングリールを示す断面図である。
【符号の説明】
【００１１】
１０  スピニングリール、２０  リールボディ、２２  支え棒、２３  前側面、２４  後側面、２５  収容スロット、２６  連接板、２７  頂面、２８  底面、２９  位置決め溝、３０  ハンドル、３２  ロータ、３４  スプール、４０  防護クッション、４２  穿孔、４３  ボルト、４４  突出リブ、５０  スピニングリール、５２  防護クッション、５４  収容スロット、２２１  ボルト孔、２３１  開口、２４１  開口、２６１  羽部、２７１  開口
【図１】
0003101019.tif 000003
【図２】
0003101019.tif 000004
【図３】
0003101019.tif 000005
【図４】
0003101019.tif 000006
【図５】
0003101019.tif 000007